【手続補正書】
【提出日】平成22年11月12日(2010.11.12)
【手続補正１】
【補正対象書類名】明細書
【補正対象項目名】０００８
【補正方法】変更
【補正の内容】
【０００８】
（要旨）
ＲＦエネルギーを使用して、塩水および／または種々の塩水含有溶液を燃焼し、塩水から水素を産生し、塩水含有溶液から揮発物を産生し、海水を脱塩し、ならびに／あるいは水の電気分解を実行するためのシステムが提示される。例示的システムは、水および塩を含む混合液である塩水を収容するための容器であって、塩水は、水中に溶解される有効量の塩を有する容器と、入口および出口を有する反応室と、容器を反応室の入口に動作可能に接続する供給ラインと、伝送ヘッドと回路的に連絡しているＲＦ発生器を有するＲＦ伝送器であって、ＲＦ発生器は、伝送ヘッドを介する伝送のための少なくとも１つの周波数を有する塩水によって少なくとも部分的に吸収可能なＲＦ信号を生成可能であるＲＦ伝送器と、反応室の少なくとも一部分が、ＲＦ伝送ヘッドおよびＲＦ受信器の間にあるように反応室が配置されるＲＦ受信器と、を備えてもよい。他の例示的システムは、水および塩の混合液である溶液を収容し、（ｉ）少なくとも１つの添加剤、または（ｉｉ）少なくとも１つの二次燃料、または（ｉｉｉ）その混合液を任意に収容する容器を備えてもよい。
本発明は、例えば以下の項目を提供する。
（項目１）
液体を燃焼させる方法であって、
ＲＦ発生器および伝送ヘッドを有するＲＦシステムを提供することであって、該ＲＦ発生器は、該伝送ヘッドを介する伝送のためのＲＦ信号を生成可能であり、該伝送されるＲＦ信号は、該伝送ヘッドに近接する開放型容器内の海水から着火性ガスを生成可能である、ことと、
水および少なくとも１つのイオンを含む液体を提供することであって、該液体は、該伝送されるＲＦ信号による着火性ガスの生成のための、該液体中に溶解した有効量の該少なくとも１つのイオンを有する、ことと、
該伝送されるＲＦ信号が該液体の少なくとも一部と相互作用するように、該液体に対して該伝送ヘッドを配置することと、
該伝送ヘッドを介して該ＲＦ信号を伝送することと、
燃焼を開始するために、該伝送されるＲＦ信号によって該液体から生成される該着火性ガスに着火することと
を含み、
該伝送されるＲＦ信号は、該液体の少なくとも一部分が燃焼するのに十分な時間の間、伝送される、方法。
（項目２）
前記燃焼させられる液体は、前記伝送されるＲＦ信号による着火性ガスの生成のための、前記水中に溶解した有効量の前記少なくとも１つのイオンを既に有する地下水を含む、項目１に記載の液体を燃焼させる方法。
（項目３）
前記燃焼させられる液体は、前記伝送されるＲＦ信号による着火性ガスの生成のための、前記水中に溶解した有効量の前記少なくとも１つのイオンを既に有する未処理の地下水から本質的に成る、項目１〜２のいずれかに記載の液体を燃焼させる方法。
（項目４）
前記燃焼させられる液体は、一定量の前記少なくとも１つのイオンが該液体に添加された地下水を含み、その結果生じた処理された地下水が、前記伝送されるＲＦ信号と反応して、着火性ガスを生成する、項目１〜３のいずれかに記載の液体を燃焼させる方法。
（項目５）
前記添加された少なくとも１つのイオンは、前記伝送されるＲＦ信号を使用して既に燃焼された液体から提供される、項目４に記載の液体を燃焼させる方法。
（項目６）
前記着火性ガスを着火する前記ステップは、該着火性ガスの自然着火を含む、項目１〜５のいずれかに記載の液体を燃焼させる方法。
（項目７）
前記伝送されるＲＦ信号は、液体の容積が少なくとも４分の１だけ減少するのに十分な時間の間、伝送される、項目１〜６のいずれかに記載の液体を燃焼させる方法。
（項目８）
前記伝送されるＲＦ信号は、液体の容積が少なくとも半分だけ減少するのに十分な時間の間、伝送される、項目１〜７のいずれかに記載の液体を燃焼させる方法。
（項目９）
前記提供するステップは、前記液体の少なくとも一部分の燃焼のために、前記伝送されるＲＦ信号によって該液体を噴霧することを含む、項目１〜８のいずれかに記載の液体を燃焼させる方法。
（項目１０）
前記ＲＦ発生器によって生成される前記ＲＦ信号は、約１３．５６ＭＨｚの周波数を有する、項目１〜９のいずれかに記載の液体を燃焼させる方法。
（項目１１）
塩水を処理するための装置であって、
ａ．伝送ヘッドと回路的に連絡しているＲＦ結合回路であって、該ＲＦ結合回路は、該伝送ヘッドを介して伝送されるＲＦ信号を伝送するために、入力６００ワットのＲＦ信号を結合可能であり、該伝送されるＲＦ信号は、該伝送ヘッドに近接する開放型容器内の海水から着火性ガスを生成可能である、ＲＦ結合回路と、
ｂ．少なくとも該ＲＦ結合回路を包囲する密閉型ハウジングと
を備える、装置。
（項目１２）
前記伝送されるＲＦ信号は、電流および電圧を含み、該電流と電圧とは、相互に位相が異なる、項目１１に記載の装置。
（項目１３）
塩水を処理するためのシステムであって、
ａ．伝送ヘッドと回路的に連絡しているＲＦ発生器を有するＲＦ伝送器であって、該ＲＦ発生器は、該伝送ヘッドを介する伝送のためのＲＦ信号を生成可能であり、該伝送されるＲＦ信号は、該伝送ヘッドに近接する開放型容器内の海水から着火性ガスを生成可能である、ＲＦ伝送器と、
ｂ．水および塩を含む塩水溶液を収容するための容器であって、該塩水溶液は、該伝送されるＲＦ信号による変換のために、該水中に溶解した有効量の塩を有する、容器と、
を備え、
該容器は、該塩水溶液の少なくとも一部分を、該ＲＦ伝送ヘッドに対する位置に供給するように構成され、該容器から供給される該塩水溶液の一部が、該ＲＦ伝送ヘッドからの該伝送されるＲＦ信号と相互作用する、システム。
（項目１４）
前記伝送されるＲＦ信号は、電流および電圧を含み、該電流と電圧とは、相互に位相が異なる、項目１３に記載の塩水を処理するためのシステム。
（項目１５）
前記塩水溶液は、天然の海水を含む、項目１３〜１４のいずれかに記載の塩水を処理するためのシステム。
（項目１６）
前記塩水溶液は、水と、前記伝送されるＲＦ信号による該塩水溶液の変換のための有効量のナトリウムとを組み合わせることにより作製される溶液を含む、項目１３〜１５のいずれかに記載の塩水を処理するためのシステム。
（項目１７）
前記伝送されるＲＦ信号による変換は、該伝送されるＲＦ信号による前記塩水溶液からの着火性ガスの生成を含む、項目１３〜１６のいずれかに記載の塩水を処理するためのシステム。
（項目１８）
前記伝送ヘッドからの前記伝送されるＲＦ信号の少なくとも一部分を受信するためのＲＦ受信ヘッドをさらに備える、項目１３〜１７のいずれかに記載の塩水を処理するためのシステム。
（項目１９）
前記ＲＦ伝送器は、前記塩水溶液を通って前記伝送されるＲＦ信号を結合するために、前記伝送ヘッドを介して伝送される該ＲＦ信号を同調するためのＲＦ同調回路をさらに備える、項目１３〜１８のいずれかに記載の塩水を処理するためのシステム。
（項目２０）
前記伝送ヘッドから前記ＲＦ信号の少なくとも一部分を受信するためのＲＦ受信ヘッドをさらに備え、前記ＲＦ伝送器は、前記塩水溶液を通って伝送される該ＲＦ信号を結合するために、該伝送ヘッドを介して伝送された該ＲＦ信号を同調するためのＲＦ同調回路をさらに備える、項目１３〜１９のいずれかに記載の塩水を処理するためのシステム。
（項目２１）
前記ＲＦ同調回路は、前記ＲＦ発生器と前記ＲＦ伝送ヘッドとの間を回路的に連絡している同調可能なパイネットワークを備える、項目１９に記載の塩水を処理するためのシステム。
（項目２２）
前記ＲＦ同調回路は、前記ＲＦ発生器と前記ＲＦ伝送ヘッドとの間を回路的に連絡している同調可能なパイネットワークを備える、項目２０に記載の塩水を処理するためのシステム。
（項目２３）
塩水を処理するためのシステムであって、
ａ．伝送ヘッドと回路的に連絡しているＲＦ発生器を有するＲＦ伝送器であって、該ＲＦ発生器は、該伝送ヘッドを介する伝送のためのＲＦ信号を生成可能であり、該伝送されるＲＦ信号は、該伝送ヘッドに近接する開放型容器内の海水から着火性ガスを生成可能である、ＲＦ伝送器と、
ｂ．水および塩を含む溶液を収容するための容器であって、該塩水溶液は、該水中に溶解した有効量の塩を有する、容器と、
ｃ．ＲＦ受信器と
を備え、
該容器は、該ＲＦ伝送ヘッドと該ＲＦ受信器との間の位置に、該塩水溶液の少なくとも一部分を供給するように構成される、システム。
（項目２４）
前記ＲＦ伝送ヘッドと前記ＲＦ受信器との間に、前記塩水溶液の少なくとも一部分を配置するように構成される反応室を備える、項目２３に記載のシステム。
（項目２５）
前記容器は、前記ＲＦ伝送ヘッドと前記ＲＦ受信器との間に配置される、項目２３〜２４のいずれかに記載のシステム。
（項目２６）
前記塩水溶液は、
ａ．少なくとも１つの添加剤、または
ｂ．少なくとも１つの二次燃料、または
ｃ．その両方の混合液、
をさらに含む、項目２３〜２５のいずれかに記載のシステム。
（項目２７）
前記添加剤は、界面活性剤である、項目２６に記載のシステム。
（項目２８）
前記添加剤は、水との共沸点混合物を生成することが可能である、項目２６に記載のシステム。
（項目２９）
前記添加剤は、水の凝固点を上昇または降下することが可能である、項目２６に記載のシステム。
（項目３０）
前記添加剤は、ポリマーである、項目２６に記載のシステム。
（項目３１）
前記二次燃料は、アルコール、アルデヒド、ケトン、カルボン酸、またはその混合液から成る群から選択される、項目２６に記載のシステム。
（項目３２）
前記アルコールは、メタノール、エタノール、イソプロパノール、ｎ−プロパノール、およびその混合液から選択される、項目３１に記載のシステム。
（項目３３）
第１の供給ライン端部において前記容器と接続される供給ラインと、
前記塩水溶液のミストが、前記ＲＦ伝送ヘッドと前記ＲＦ受信器との間に供給されるようにする、第２の供給ライン端部と動作可能に接続される噴射ノズルと
をさらに備える、項目２３〜３２のいずれかに記載のシステム。
（項目３４）
前記塩は、海塩である、項目２３〜３３のいずれかに記載のシステム。
（項目３５）
前記塩水混合液は、海水を含む、項目２３〜３４のいずれかに記載のシステム。
（項目３６）
前記塩は、陽イオンおよび陰イオンを含み、該陽イオンは、Ｌｉ＋、Ｎａ＋、Ｋ＋、Ｒｂ＋、Ｃｓ＋、Ｍｇ２＋、Ｃａ２＋、Ｂａ２＋、Ｓｒ２＋、Ｍｎ２＋、Ｆｅ２＋、Ｆｅ３＋、Ｎｉ２＋、Ｃｕ２＋、Ｚｎ２＋、Ａｇ＋、Ａｕ＋、およびその混合物から成る群から選択され、該陰イオンは、Ｃｌ−、Ｂｒ−、Ｉ−、ホウ酸塩、クエン酸塩、硝酸塩、リン酸塩、硫酸塩、およびその混合物から成る群から選択される、項目２３〜３５のいずれかに記載のシステム。
（項目３７）
前記有効量の塩は、濃度が約１ｇ／ｃｍ３の塩水溶液を生成する量の塩である、項目２３〜３６のいずれかに記載のシステム。
（項目３８）
前記有効量の塩は、濃度が約１．０２ｇ／ｃｍ３から１．０３ｇ／ｃｍ３までの塩水溶液を生成する量の塩である、項目２３〜３７のいずれかに記載のシステム。
（項目３９）
前記有効量の塩は、濃度が約１．０２６ｇ／ｃｍ３の塩水溶液を生成する量の塩である、項目２３〜３８のいずれかに記載のシステム。
（項目４０）
前記反応室の中で生成される水素を回収する、該反応室に動作可能に接続される水素回収タンクを備える、項目２４〜３９のいずれかに記載のシステム。
（項目４１）
前記反応室は、圧力密封型管を備え、前記システムは、該圧力密封型管における圧力によって移動する駆動可能な部材を備える、項目２４〜４０のいずれかに記載のシステム。
（項目４２）
水を回収するための凝縮タンクを備え、該凝縮タンクは、前記反応室に動作可能に接続される、項目２４〜４１のいずれかに記載のシステム。
（項目４３）
酸素回収タンクと、
前記水素回収タンクと該酸素回収タンクとを前記反応室に動作可能に接続する排出ラインと
を備える、項目２４〜４２のいずれかに記載のシステム。
（項目４４）
前記反応室と流体的に連絡するガス透過性膜を備え、該ガス透過性膜は、第１の流速で水素ガスを通過させ、第２の流速で酸素ガスを通過させるように選択され、該第１の流速は、該第２の流速よりも大きい、項目２４〜４３のいずれかに記載のシステム。
（項目４５）
前記ＲＦ伝送ヘッド、ＲＦ受信器、および該ＲＦ伝送ヘッドと該ＲＦ受信器との間の塩水の部分は、該伝送ヘッドからの前記ＲＦ信号が、高−Ｑ回路を介して前記塩水溶液に接続されるように配置される、項目２３〜４４のいずれかに記載のシステム。
（項目４６）
前記伝送されるＲＦ信号は、高−Ｑ共振回路を介して前記塩水溶液に接続される、項目２３〜４５のいずれかに記載のシステム。
（項目４７）
前記ＲＦ発生器は、約１３．５６ＭＨｚの周波数を有するＲＦ信号を発生するように構成される、項目２３〜４６のいずれかに記載のシステム。
（項目４８）
塩水を処理するための方法であって、
水および少なくとも１つの塩を含む塩水溶液を提供することであって、該塩水溶液は、該水の中に溶解した有効量の該塩を有する、ことと、
伝送ヘッドと回路的に連絡しているＲＦ発生器を有するＲＦ伝送器を提供することであって、該ＲＦ発生器は、該塩水溶液によって少なくとも部分的に吸収可能であるＲＦ信号を生成可能であり、該塩水溶液は、該伝送ヘッドを介する伝送のための少なくとも１つの周波数を有する、ことと、
該伝送ヘッドを介して伝送される該ＲＦ信号が、該塩水溶液の少なくとも一部と相互作用するように、該塩水溶液の近傍に該伝送ヘッドを配置することと、
該伝送ヘッドを介して該ＲＦ信号を伝送することと
を含み、
該伝送されるＲＦ信号は、該塩水の少なくとも一部分を変換するのに十分な時間の間、伝送される、方法。
（項目４９）
ａ．少なくとも１つの添加剤、または
ｂ．少なくとも１つの二次燃料、または
ｃ．その両方の混合液、
のうちの１つ以上を前記塩水溶液に添加することを含む、項目４８に記載の方法であって、
前記伝送されるＲＦ信号は、（ｉ）該塩水溶液を分解して水素ガスを産生すること、または（ｉｉ）該塩水溶液を加熱して該二次燃料を揮発させること、または（ｉｉｉ）その両方、に十分な時間の間、伝送され、
該伝送されるＲＦ信号は、該水素ガス、該揮発した二次燃料、またはその両方のうちの少なくとも１つを燃焼させる時間の間、伝送される、方法。
（項目５０）
前記塩水溶液を提供するステップは、前記ＲＦ伝送ヘッドと前記ＲＦ受信器との間に塩水溶液のミストを噴霧することによって実行される、項目４８〜４９のいずれかに記載の方法。
（項目５１）
少なくとも１つのＲＦ吸収促進剤を前記塩水溶液に添加するステップを含む、項目４８〜５０のいずれかに記載の方法。
（項目５２）
前記塩水溶液の前記燃焼によって産生される水素ガスを回収するステップを含む、項目４８〜５１のいずれかに記載の方法。
（項目５３）
前記伝送されるＲＦ信号が作用させられる前記塩水溶液は、閉鎖型反応室によって囲まれる、項目４８〜５２のいずれかに記載の方法。
（項目５４）
前記閉鎖型反応室は、圧力密閉型であり、前記方法は、塩水溶液の前記燃焼によって該反応室内に生成された圧力によって、駆動可能な部材を移動させるステップを含む、項目５３に記載の方法。
（項目５５）
前記伝送されるＲＦ信号を伝送する前記ステップは、前記塩水溶液を煮沸するのに十分な時間の間、実行され、前記方法は、脱塩された水を生成するために蒸気を凝縮するステップを含む、項目５３に記載の方法。
（項目５６）
前記伝送されるＲＦ信号を前記伝送するステップは、水素ガスおよび酸素ガスを産生するために前記塩水溶液を分解するのに十分な時間の間、実行される、項目５３に記載の方法。
（項目５７）
前記水素ガスおよび酸素ガスをガス透過性膜に通過させるステップを含み、該ガス透過性膜は、該酸素ガスよりも大きい流速で該水素ガスを通過させるように選択される、項目５６に記載の方法。
（項目５８）
液体を燃焼させる方法であって、
ＲＦ発生器および伝送ヘッドを有するＲＦシステムを提供することであって、該ＲＦ発生器は、該伝送ヘッドを介する伝送のためのＲＦ信号を生成可能であり、該伝送されるＲＦ信号は、該伝送ヘッドに近接する開放型容器内の海水から着火性ガスを生成可能である、ことと、
水および少なくとも１つのイオンを含む液体を提供することであって、該液体は、該伝送されるＲＦ信号による着火性ガスの生成のための、該液体の中に溶解した有効量の該少なくとも１つのイオンを有する、ことと、
該伝送ヘッドを介して該ＲＦ信号を伝送することと、
該液体の少なくとも一部分を燃焼させることと
を含む、方法。
（項目５９）
前記燃焼させられる液体は、ある量の前記少なくとも１つのイオンが添加された炭化水素を含むことにより、結果として処理される該炭化水素は、前記伝送されるＲＦ信号と反応して、該処理される炭化水素の燃焼速度を有意に増加させる、項目５８に記載の液体を燃焼させる方法。
（項目６０）
前記液体を提供するステップは、前記炭化水素を提供することと、前記少なくとも１つのイオンの水溶液のある量を該炭化水素に添加することとを含むことにより、結果として処理される該炭化水素が、前記伝送されるＲＦ信号と反応して、該処理されり炭化水素の燃焼速度を有意に増加させる、項目５９に記載の液体を燃焼させる方法。
（項目６１）
前記燃焼させられる液体は、地下水を含んでおり、前記ＲＦシステムの少なくとも一部分は、密閉型エンクロージャに収容され、前記液体を提供するステップは、地中の地下水を燃焼させるために、該密閉型エンクロージャを地中の開口部の中に降下させて、静止している地下水に近接して前記ＲＦ伝送ヘッドを配置することを含む、項目５８に記載の液体を燃焼させる方法。
（項目６２）
化合物を処理する方法であって、
ＲＦ発生器および伝送ヘッドを有するＲＦシステムを提供することであって、該ＲＦ発生器は、該伝送ヘッドを介して伝送するためのＲＦ信号を生成可能であり、該伝送されるＲＦ信号は、該伝送ヘッドに近接する開放型容器内の海水から着火性ガスを生成可能である、ことと、
該化合物に近接して該伝送ヘッドを配置することと、
該伝送ヘッドを介して該ＲＦ信号を伝送することと
を含み、
該信号が該化合物内の汚染物質に作用するのに十分な時間の長さの間、該ＲＦ信号は伝送される、方法。
（項目６３）
前記化合物は、土壌または粘土である、項目６２に記載の化合物を処理する方法。
（項目６４）
前記土壌または粘土の中の不要な有機物を加熱するのに十分な時間の長さの間、前記ＲＦ信号が伝送される、項目６２〜６３のいずれかに記載の化合物を処理する方法。
（項目６５）
前記土壌または粘土の中の炭化水素汚染物を揮発させるのに十分な時間の長さの間、前記ＲＦ信号が伝送される、項目６２〜６４のいずれかに記載の化合物を処理する方法。
（項目６６）
前記化合物は、不要な微生物、細菌、またはウイルスを含み、該不要な微生物、細菌、またはウイルスを破滅させるのに十分な時間の長さの間、前記ＲＦ信号は伝送される、項目６２〜６５のいずれかに記載の化合物を処理する方法。
（項目６７）
前記ＲＦ信号によるＲＦ処理を促進するために、有効量の少なくとも１つのイオンを前記化合物に添加するステップをさらに含む、項目６２〜６６のいずれかに記載の化合物を処理する方法。
（項目６８）
前記処理は、前記ＲＦ信号による前記化合物の汚染除去を含む、項目６２〜６７のいずれかに記載の化合物を処理する方法。
（項目６９）
前記ＲＦ信号による汚染除去を促進するために、有効量の少なくとも１つのイオンを前記化合物に添加するステップをさらに含む、項目６２〜６８のいずれかに記載の化合物を処理する方法。
（項目７０）
前記ＲＦ信号による前記化合物の汚染除去を促進するために、有効量のナトリウムを添加するステップをさらに含む、項目６２〜６９のいずれかに記載の化合物を処理する方法。
【手続補正２】
【補正対象書類名】特許請求の範囲
【補正対象項目名】全文
【補正方法】変更
【補正の内容】
【特許請求の範囲】
【請求項１】
液体を燃焼させる方法であって、
ＲＦ発生器および伝送ヘッドを有するＲＦシステムを提供することであって、該ＲＦ発生器は、該伝送ヘッドを介する伝送のためのＲＦ信号を生成可能であり、該伝送されるＲＦ信号は、該伝送ヘッドに近接する開放型容器内の海水から着火性ガスを生成可能である、ことと、
水および少なくとも１つのイオンを含む液体を提供することであって、該液体は、該伝送されるＲＦ信号による着火性ガスの生成のための、該液体中に溶解した有効量の該少なくとも１つのイオンを有する、ことと、
該伝送されるＲＦ信号が該液体の少なくとも一部と相互作用するように、該液体に対して該伝送ヘッドを配置することと、
該伝送ヘッドを介して該ＲＦ信号を伝送することと、
燃焼を開始するために、該伝送されるＲＦ信号によって該液体から生成される該着火性ガスに着火することと
を含み、
該伝送されるＲＦ信号は、該液体の少なくとも一部分が燃焼するのに十分な時間の間、伝送される、方法。
【請求項２】
前記燃焼させられる液体は、前記伝送されるＲＦ信号による着火性ガスの生成のための、前記水中に溶解した有効量の前記少なくとも１つのイオンを既に有する地下水を含む、請求項１に記載の液体を燃焼させる方法。
【請求項３】
前記燃焼させられる液体は、一定量の前記少なくとも１つのイオンが該液体に添加された地下水を含み、その結果生じた処理された地下水が、前記伝送されるＲＦ信号と反応して、着火性ガスを生成する、請求項１〜２のいずれかに記載の液体を燃焼させる方法。
【請求項４】
前記ＲＦ発生器によって生成される前記ＲＦ信号は、約１３．５６ＭＨｚの周波数を有する、請求項１〜３のいずれかに記載の液体を燃焼させる方法。
【請求項５】
塩水を処理するための装置であって、
ａ．伝送ヘッドと回路的に連絡しているＲＦ結合回路であって、該ＲＦ結合回路は、該伝送ヘッドを介して伝送されるＲＦ信号を伝送するために、入力６００ワットのＲＦ信号を結合可能であり、該伝送されるＲＦ信号は、該伝送ヘッドに近接する開放型容器内の海水から着火性ガスを生成可能である、ＲＦ結合回路と、
ｂ．少なくとも該ＲＦ結合回路を包囲する密閉型ハウジングと
を備える、装置。
【請求項６】
前記伝送されるＲＦ信号は、電流および電圧を含み、該電流と電圧とは、相互に位相が異なる、請求項５に記載の装置。
【請求項７】
塩水を処理するためのシステムであって、
ａ．伝送ヘッドと回路的に連絡しているＲＦ発生器を有するＲＦ伝送器であって、該ＲＦ発生器は、該伝送ヘッドを介する伝送のためのＲＦ信号を生成可能であり、該伝送されるＲＦ信号は、該伝送ヘッドに近接する開放型容器内の海水から着火性ガスを生成可能である、ＲＦ伝送器と、
ｂ．水および塩を含む塩水溶液を収容するための容器であって、該塩水溶液は、該伝送されるＲＦ信号による変換のために、該水中に溶解した有効量の塩を有する、容器と、
を備え、
該容器は、該塩水溶液の少なくとも一部分を、該ＲＦ伝送ヘッドに対する位置に供給するように構成され、該容器から供給される該塩水溶液の一部が、該ＲＦ伝送ヘッドからの該伝送されるＲＦ信号と相互作用する、システム。
【請求項８】
前記伝送ヘッドからの前記伝送されるＲＦ信号の少なくとも一部分を受信するためのＲＦ受信ヘッドをさらに備える、請求項７に記載の塩水を処理するためのシステム。
【請求項９】
前記ＲＦ伝送器は、前記塩水溶液を通って前記伝送されるＲＦ信号を結合するために、前記伝送ヘッドを介して伝送される該ＲＦ信号を同調するためのＲＦ同調回路をさらに備える、請求項７〜８のいずれかに記載の塩水を処理するためのシステム。
【請求項１０】
前記ＲＦ同調回路は、前記ＲＦ発生器と前記ＲＦ伝送ヘッドとの間を回路的に連絡している同調可能なパイネットワークを備える、請求項９に記載の塩水を処理するためのシステム。
【請求項１１】
塩水を処理するためのシステムであって、
ａ．伝送ヘッドと回路的に連絡しているＲＦ発生器を有するＲＦ伝送器であって、該ＲＦ発生器は、該伝送ヘッドを介する伝送のためのＲＦ信号を生成可能であり、該伝送されるＲＦ信号は、該伝送ヘッドに近接する開放型容器内の海水から着火性ガスを生成可能である、ＲＦ伝送器と、
ｂ．水および塩を含む溶液を収容するための容器であって、該塩水溶液は、該水中に溶解した有効量の塩を有する、容器と、
ｃ．ＲＦ受信器と
を備え、
該容器は、該ＲＦ伝送ヘッドと該ＲＦ受信器との間の位置に、該塩水溶液の少なくとも一部分を供給するように構成される、システム。
【請求項１２】
前記塩水溶液は、
ａ．少なくとも１つの添加剤、または
ｂ．少なくとも１つの二次燃料、または
ｃ．その両方の混合液、
をさらに含む、請求項１１に記載のシステム。
【請求項１３】
前記添加剤は、界面活性剤である、請求項１２に記載のシステム。
【請求項１４】
前記二次燃料は、アルコール、アルデヒド、ケトン、カルボン酸、またはその混合液から成る群から選択される、請求項１２に記載のシステム。
【請求項１５】
前記アルコールは、メタノール、エタノール、イソプロパノール、ｎ−プロパノール、およびその混合液から選択される、請求項１４に記載のシステム。
【請求項１６】
前記塩は、陽イオンおよび陰イオンを含み、該陽イオンは、Ｌｉ＋、Ｎａ＋、Ｋ＋、Ｒｂ＋、Ｃｓ＋、Ｍｇ２＋、Ｃａ２＋、Ｂａ２＋、Ｓｒ２＋、Ｍｎ２＋、Ｆｅ２＋、Ｆｅ３＋、Ｎｉ２＋、Ｃｕ２＋、Ｚｎ２＋、Ａｇ＋、Ａｕ＋、およびその混合物から成る群から選択され、該陰イオンは、Ｃｌ−、Ｂｒ−、Ｉ−、ホウ酸塩、クエン酸塩、硝酸塩、リン酸塩、硫酸塩、およびその混合物から成る群から選択される、請求項１１〜１５のいずれかに記載のシステム。
【請求項１７】
塩水を処理するための方法であって、
水および少なくとも１つの塩を含む塩水溶液を提供することであって、該塩水溶液は、該水の中に溶解した有効量の該塩を有する、ことと、
伝送ヘッドと回路的に連絡しているＲＦ発生器を有するＲＦ伝送器を提供することであって、該ＲＦ発生器は、該塩水溶液によって少なくとも部分的に吸収可能であるＲＦ信号を生成可能であり、該塩水溶液は、該伝送ヘッドを介する伝送のための少なくとも１つの周波数を有する、ことと、
該伝送ヘッドを介して伝送される該ＲＦ信号が、該塩水溶液の少なくとも一部と相互作用するように、該塩水溶液の近傍に該伝送ヘッドを配置することと、
該伝送ヘッドを介して該ＲＦ信号を伝送することと
を含み、
該伝送されるＲＦ信号は、該塩水の少なくとも一部分を変換するのに十分な時間の間、伝送される、方法。
【請求項１８】
液体を燃焼させる方法であって、
ＲＦ発生器および伝送ヘッドを有するＲＦシステムを提供することであって、該ＲＦ発生器は、該伝送ヘッドを介する伝送のためのＲＦ信号を生成可能であり、該伝送されるＲＦ信号は、該伝送ヘッドに近接する開放型容器内の海水から着火性ガスを生成可能である、ことと、
水および少なくとも１つのイオンを含む液体を提供することであって、該液体は、該伝送されるＲＦ信号による着火性ガスの生成のための、該液体の中に溶解した有効量の該少なくとも１つのイオンを有する、ことと、
該伝送ヘッドを介して該ＲＦ信号を伝送することと、
該液体の少なくとも一部分を燃焼させることと
を含む、方法。
【請求項１９】
前記燃焼させられる液体は、ある量の前記少なくとも１つのイオンが添加された炭化水素を含むことにより、結果として処理される該炭化水素は、前記伝送されるＲＦ信号と反応して、該処理される炭化水素の燃焼速度を有意に増加させる、請求項１８に記載の液体を燃焼させる方法。
【請求項２０】
前記燃焼させられる液体は、地下水を含んでおり、前記ＲＦシステムの少なくとも一部分は、密閉型エンクロージャに収容され、前記液体を提供するステップは、地中の地下水を燃焼させるために、該密閉型エンクロージャを地中の開口部の中に降下させて、静止している地下水に近接して前記ＲＦ伝送ヘッドを配置することを含む、請求項１８に記載の液体を燃焼させる方法。
【請求項２１】
化合物を処理する方法であって、
ＲＦ発生器および伝送ヘッドを有するＲＦシステムを提供することであって、該ＲＦ発生器は、該伝送ヘッドを介して伝送するためのＲＦ信号を生成可能であり、該伝送されるＲＦ信号は、該伝送ヘッドに近接する開放型容器内の海水から着火性ガスを生成可能である、ことと、
該化合物に近接して該伝送ヘッドを配置することと、
該伝送ヘッドを介して該ＲＦ信号を伝送することと
を含み、
該信号が該化合物内の汚染物質に作用するのに十分な時間の長さの間、該ＲＦ信号は伝送される、方法。